【手続補正書】
【提出日】平成17年5月26日(2005.5.26)
【手続補正１】
【補正対象書類名】明細書
【補正対象項目名】特許請求の範囲
【補正方法】変更
【補正の内容】
【特許請求の範囲】
【請求項１】
撮影により得られた画像に対して合成を行なう画像の入力を受付けることができる画像編集装置であって、
前記撮影により得られた画像に対して、フレーム入力、スタンプ入力、ペン入力のそれぞれの入力が可能であり、
前記撮影により得られた画像を表示する第１の表示手段と、
フレーム入力、スタンプ入力、ペン入力のそれぞれを各工程とし、フレーム入力の工程においてはフレームを選択するための表示を、スタンプ入力の工程においてはスタンプを選択するための表示を、ペン入力の工程においてはペンを選択するための表示を行なう第２の表示手段と、
前記第２の表示手段による表示に基づいて、ユーザの好みのツールの選択を受付ける選択手段と、
フレーム入力の工程においては前記選択手段の選択結果に基づいて、選択されたフレームの入力を、スタンプ入力の工程においては前記選択手段の選択結果に基づいて、選択されたスタンプによる画像入力を、ペン入力の工程においては前記選択手段の選択結果に基づいて、選択されたペンによる画像入力を行なう画像入力手段とを備えた、画像編集装置。
【請求項２】
前記第２の表示手段は、各工程において、他の工程で選択されるべきツールの表示を行なわず、
前記選択手段は、各工程において、他の工程において選択されるべきツールの選択を受付けないことを特徴とする、請求項１に記載の画像編集装置。
【請求項３】
前記第２の表示手段は、１つの画面に対して各工程における表示を順に行なう、請求項１または２に記載の画像編集装置。
【請求項４】
前記工程は、フレーム入力、スタンプ入力、ペン入力の順に行なわれる、請求項１〜３のいずれかに記載の画像編集装置。
【請求項５】
各工程には制限時間が設けられる、請求項１〜４のいずれかに記載の画像編集装置。
【請求項６】
各工程をユーザ入力に従ってとばすことが可能である、請求項１〜５のいずれかに記載の画像編集装置。
【請求項７】
各工程をユーザ入力に従ってやり直すことが可能である、請求項１〜５のいずれかに記載の画像編集装置。
【請求項８】
撮影により得られた画像に対して合成を行なう画像の入力を受付ける画像編集方法であって、
前記撮影により得られた画像に対して、フレーム入力、スタンプ入力、ペン入力のそれぞれの入力が可能であり、
前記撮影により得られた画像を表示する第１の表示ステップと、
フレーム入力、スタンプ入力、ペン入力のそれぞれを各工程とし、フレーム入力の工程においてはフレームを選択するための表示を、スタンプ入力の工程においてはスタンプを選択するための表示を、ペン入力の工程においてはペンを選択するための表示を行なう第２の表示ステップと、
前記第２の表示ステップによる表示に基づいて、ユーザの好みのツールの選択を受付ける選択ステップと、
フレーム入力の工程においては前記選択ステップの選択結果に基づいて、選択されたフレームの入力を、スタンプ入力の工程においては前記選択ステップの選択結果に基づいて、選択されたスタンプによる画像入力を、ペン入力の工程においては前記選択ステップの選択結果に基づいて選択されたペンによる画像入力を行なう画像入力ステップとを備えた、画像編集方法。
【請求項９】
撮影により得られた画像に対して合成を行なう画像の入力を受付ける画像編集プログラムであって、
前記撮影により得られた画像に対して、フレーム入力、スタンプ入力、ペン入力のそれぞれの入力が可能であり、
前記撮影により得られた画像を表示する第１の表示ステップと、
フレーム入力、スタンプ入力、ペン入力のそれぞれを各工程とし、フレーム入力の工程においてはフレームを選択するための表示を、スタンプ入力の工程においてはスタンプを選択するための表示を、ペン入力の工程においてはペンを選択するための表示を行なう第２の表示ステップと、
前記第２の表示ステップによる表示に基づいて、ユーザの好みのツールの選択を受付ける選択ステップと、
フレーム入力の工程においては前記選択ステップの選択結果に基づいて、選択されたフレームの入力を、スタンプ入力の工程においては前記選択ステップの選択結果に基づいて、選択されたスタンプによる画像入力を、ペン入力の工程においては前記選択ステップの選択結果に基づいて選択されたペンによる画像入力を行なう画像入力ステップとをコンピュータに実行させる、画像編集プログラム。
【手続補正２】
【補正対象書類名】明細書
【補正対象項目名】００１３
【補正方法】変更
【補正の内容】
【００１３】
この発明は以上のような問題点を解決するためになされたものであり、操作に不慣れな利用者でも満足の行く編集結果を得ることができる画像編集装置、方法およびプログラムを提供することを目的としている。
【手続補正３】
【補正対象書類名】明細書
【補正対象項目名】００１４
【補正方法】変更
【補正の内容】
【００１４】
【課題を解決するための手段】
上記目的を達成するため、この発明のある局面に従うと、画像編集装置は、撮影により得られた画像に対して合成を行なう画像の入力を受付けることができる画像編集装置であって、撮影により得られた画像に対して、フレーム入力、スタンプ入力、ペン入力のそれぞれの入力が可能であり、撮影により得られた画像を表示する第１の表示手段と、フレーム入力、スタンプ入力、ペン入力のそれぞれを各工程とし、フレーム入力の工程においてはフレームを選択するための表示を、スタンプ入力の工程においてはスタンプを選択するための表示を、ペン入力の工程においてはペンを選択するための表示を行なう第２の表示手段と、第２の表示手段による表示に基づいて、ユーザの好みのツールの選択を受付ける選択手段と、フレーム入力の工程においては選択手段の選択結果に基づいて、選択されたフレームの入力を、スタンプ入力の工程においては選択手段の選択結果に基づいて、選択されたスタンプによる画像入力を、ペン入力の工程においては選択手段の選択結果に基づいて、選択されたペンによる画像入力を行なう画像入力手段とを備える。
好ましくは第２の表示手段は、各工程において、他の工程で選択されるべきツールの表示を行なわず、選択手段は、各工程において、他の工程において選択されるべきツールの選択を受付けないことを特徴とする。
好ましくは第２の表示手段は、１つの画面に対して各工程における表示を順に行なう。
好ましくは工程は、フレーム入力、スタンプ入力、ペン入力の順に行なわれる。
好ましくは、各工程には制限時間が設けられる。
好ましくは画像編集装置は、各工程をユーザ入力に従ってとばすことが可能である。
好ましくは画像編集装置は、各工程をユーザ入力に従ってやり直すことが可能である。
この発明の他の局面に従うと、画像編集方法は、撮影により得られた画像に対して合成を行なう画像の入力を受付ける画像編集方法であって、撮影により得られた画像に対して、フレーム入力、スタンプ入力、ペン入力のそれぞれの入力が可能であり、撮影により得られた画像を表示する第１の表示ステップと、フレーム入力、スタンプ入力、ペン入力のそれぞれを各工程とし、フレーム入力の工程においてはフレームを選択するための表示を、スタンプ入力の工程においてはスタンプを選択するための表示を、ペン入力の工程においてはペンを選択するための表示を行なう第２の表示ステップと、第２の表示ステップによる表示に基づいて、ユーザの好みのツールの選択を受付ける選択ステップと、フレーム入力の工程においては選択ステップの選択結果に基づいて、選択されたフレームの入力を、スタンプ入力の工程においては選択ステップの選択結果に基づいて、選択されたスタンプによる画像入力を、ペン入力の工程においては選択ステップの選択結果に基づいて選択されたペンによる画像入力を行なう画像入力ステップとを備える。
この発明の他の局面に従うと、画像編集プログラムは、撮影により得られた画像に対して合成を行なう画像の入力を受付ける画像編集プログラムであって、撮影により得られた画像に対して、フレーム入力、スタンプ入力、ペン入力のそれぞれの入力が可能であり、撮影により得られた画像を表示する第１の表示ステップと、フレーム入力、スタンプ入力、ペン入力のそれぞれを各工程とし、フレーム入力の工程においてはフレームを選択するための表示を、スタンプ入力の工程においてはスタンプを選択するための表示を、ペン入力の工程においてはペンを選択するための表示を行なう第２の表示ステップと、第２の表示ステップによる表示に基づいて、ユーザの好みのツールの選択を受付ける選択ステップと、フレーム入力の工程においては選択ステップの選択結果に基づいて、選択されたフレームの入力を、スタンプ入力の工程においては選択ステップの選択結果に基づいて、選択されたスタンプによる画像入力を、ペン入力の工程においては選択ステップの選択結果に基づいて選択されたペンによる画像入力を行なう画像入力ステップとをコンピュータに実行させる。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】削除
【補正の内容】
【手続補正３１】
【補正対象書類名】明細書
【補正対象項目名】００４２
【補正方法】削除
【補正の内容】
【手続補正３２】
【補正対象書類名】明細書
【補正対象項目名】００４３
【補正方法】削除
【補正の内容】
【手続補正３３】
【補正対象書類名】明細書
【補正対象項目名】００４４
【補正方法】削除
【補正の内容】
【手続補正３４】
【補正対象書類名】明細書
【補正対象項目名】００４５
【補正方法】削除
【補正の内容】
【手続補正３５】
【補正対象書類名】明細書
【補正対象項目名】００４６
【補正方法】削除
【補正の内容】